(57)【要約】【課題】  ヘッドアップの矯正と打球方向の確認および練習成果の確認ができるようにしたゴルフ練習装置を提供する。【解決手段】  前方３〜４ｍの位置に設けた標的ネットにボールが当たると点灯するランプを打席部に設置し、パター練習用の帯状マットのパッティング位置から約５０ｃｍの位置に設けたセンサーにボール達すると点灯するランプをパッティング位置に設置し、標的ネットのボールの当たった領域を表示する電光表示板を設ける。【選択図】  図１
2006175139.tif 000002
【特許請求の範囲】
【請求項１】
打席部の前方３〜４ｍの位置に標的ネットを設け、打席部の前側には、ショットしたボールが前記標的ネットに当たると点灯するランプを設置し、標的ネットは中央帯、側面帯、外側面帯三区分の標識を施し、中央帯には、適切なショット領域を示す標的を施し、これを含め中央帯全体をアプローチショット領域とし、側面帯は適切なショット領域およびアプローチショット領域を外れた領域、外側面帯はＯＢ領域とし、また、打席部の後方位置から前記標的ネット下までパター練習用の帯状マットを設け、パッティング位置より約５０ｃｍの位置にセンサーを設け、パッティング位置前側には、パッティングしたボールがセンサーの位置に達すると点灯するランプを設置し、さらに、前記適切なショット領域、アプローチショット領域、これら領域を外れた領域、ＯＢ領域のそれぞれにボールが当たった時に点灯するランプ、および適切なショット領域、アプローチショット領域にボールが当たった数と、パッティングしたボールがカップインした数を表示する表示部を有する電光表示板を、打席部の近傍に設置したことを特徴とするゴルフ練習装置。
【請求項２】
パター練習用の帯状マットにおいて、カップから１ｍ毎のそれぞれ中央とその両側の三個所にパッティング位置が表示されていることを特徴とする請求項１に記載のゴルフ練習装置。
【発明の詳細な説明】
【技術分野】
【０００１】
本発明は、ゴルフの基本である頭を残してスウィングするように、ヘッドアップを矯正すると共に、打球の方向を確認できるようにし、さらに、練習成果を確認できるようにしたゴルフ練習装置に関するものである。
なお、本発明においては、ゴルフのショットのうち、アプローチはアプローチショットと記載する。
【背景技術】
【０００２】
ゴルフ練習装置は極めて多くの装置が知られているが、ヘッドアップを矯正するゴルフ練習装置としては、例えば、ゴルフ練習用マットやゴムティーにゴルフボールで隠れる程度の印を設け、その上にボールを置いてショットし、ショットの直後に印の残像を確認することにより、ヘッドアップを矯正するというゴルフ練習装置（登録実用新案第３０２１１０８号）が知られている。
しかし、ショットの直後に印の残像を確認することは、行い易いことではないので、特に初級者にとっては適した練習装置とはいえないものである。また、上記ゴルフ練習装置は、パターのヘッドアップの矯正は対象としていない。
【０００３】
また、（１）電気接点を有する回転軸、（２）アームの両端に疑似球と内面に半円筒形の電極を有するカラーよりなり、回転軸を軸として自由に回転する回転体、（３）電極接点および電極による短絡・開放により点滅する発光体、以上のような構成よりなるゴルフ練習装置（登録実用新案第３００９３１４号）が知られている。これは、ゴルフクラブで疑似球を打つと、回転体が回転してカラーに取り付けられた電極が回転軸の電気接点を断続的に短絡し、発光体が点滅するので、この発光を２・３回確認できるように練習すれば、ヘッドアップの悪癖を矯正することができるというものである。
しかし、上記ゴルフ練習装置のゴルフボールは、回転体のアームに固着していて回転するだけで、打球方向へ飛ぶというものではないから、練習者に打球方向を見ようとする意識は働かないで済むので、ヘッドアップを矯正する適切な練習装置とはいえないものである。また、上記ゴルフ練習装置は、パターのヘッドアップの矯正は対象としていない。
また、的となるシートに打ち出された打球の前記シートにおける命中部位検出手段、あるいは命中部位と共に打球の速度検出手段と、これら検出手段に対応する図柄表示手段と、この図柄表示手段に特定の態様の図柄が表示されたときに所定の演出を実行する実行手段とを備えたゴルフ練習機が、特開平７−３０３７２３号公報に開示されている。
しかし、上記ゴルフ練習機は、打球の方向を確認することはできるが、ヘッドアップの矯正を対象としたものではなく、特にアプローチショットとパターにおいては、適切な練習装置とはいえないものである。
【０００４】
【特許文献１】登録実用新案第３０２１１０８号公報
【特許文献２】登録実用新案第３００９３１４号公報
【特許文献３】特開平０７−３０３７２３号公報
【発明の開示】
【発明が解決しようとする課題】
【０００５】
本発明は、広い場所を必要とすることなく、室内でも設定可能なヘッドアップの矯正と打球方向の確認および練習成果の確認ができるようにしたゴルフ練習装置を提供することを目的とするものである。
【課題を解決するための手段】
【０００６】
本発明は、打席部の前方３〜４ｍの位置に標的ネットを設け、ショットしたボールが標的ネットに当たると点灯するランプを打席部の前側に設置し、また、打席部の後方位置から標的ネット下までパター練習用の帯状マットを設け、パッティング位置より約５０ｃｍの位置にセンサーを設け、パッティングしたボールがセンサーの位置に達すると点灯するランプをパッティング位置の前側に設置し、ショットあるいはパッティングしたとき、いずれもランプの点灯を確認することによって、ヘッドアップを矯正できるようにしたものである。
さらに、標的ネットに表示した適切なショット領域、アプローチショット領域、これらを外れた領域およびＯＢ領域のそれぞれにボールが当たった時に点灯するランプ、および適切なショット領域、アプローチショット領域にボールが当たった数と、パッティングしたボールがカップインした数を表示する表示部を有する電光表示板を設置することにより、打球の方向の確認および練習成果の確認ができるようにしたものである。
【発明の効果】
【０００７】
本発明によれば、狭い場所あるいは室内などでも容易に設置でき、ヘッドアップの矯正と打球方向が確認ができ、また、練習成果が確認できるので、極めて適切なゴルフ練習装置である。
【発明を実施するための最良の形態】
【０００８】
本発明においては、先ず、打席部の前方３〜４ｍの位置に標的ネットを設け、打席部の前側には、ショットしたボールが標的ネットに当たると点灯するランプを設置する。
ショットしたとき、ボールの飛んだ方向を知りたい心理から、クラブのヘッドがボールに当たる前に頭を上げてしまうことが特に初級者には多く、このヘッドアップは正確なショットにはなりにくいのであるが、ショットしたボールが３〜４ｍ飛ぶまで頭を上げないようにすれば、ヘッドアップにはならないので、打席部の前方３〜４ｍの位置に標的ネットを設け、この標的ネットにボールが当たってランプが点灯するまで頭を上げないように練習する。
【０００９】
次に、前記打席部の後方位置から前記標的ネット下までパター練習用マットを設け、パッティング位置より約５０ｃｍの位置にセンサーを設けて、パッティングしたボールがセンサーの位置に達すると点灯するランプをパッティング位置の前側に設置する。
パッティングした時、前記ショットの場合と同様に、ボールの転がる方向を知りたい心理から、パターのヘッドがボールに当たる前に頭を上げてしまうことが特に初級者には多く、このヘッドアップは正確なパッティングにはなりにくいのであるが、パティンッングしたボールが約５０ｃｍ転がるまで頭を上げないようにすれば、ヘッドアップにはならないので、パッティング位置より約５０ｃｍの位置にセンサーを設け、ランプが点灯するまで頭を上げないように練習する。
【００１０】
さらに、前記標的ネットは中央帯、側面帯、外側面帯の三区分の標識を施し、中央帯には、適切なショット領域を示す標的を施し、これを含めて中央帯全体をアプローチショット領域とし、側面帯は適切なショットおよびアプローチショット領域を外れた領域、外側面帯をＯＢ領域とする。
そして、上記適切なショット領域、アプローチショット領域、これら領域を外れた領域、ＯＢ領域のそれぞれにボールが当たった時に点灯するランプ、および適切なショット領域、アプローチショット領域にボールが当たった数と、パッティングしたボールがカップインした数を表示する表示部を有する電光表示板を、打席近傍に設置して置けば、打球の方向が分かると共に、練習成果を確認することができるので有効である。
この際、アプローチショットは低い弾道、高い弾道あるいはその中間の弾道でショットする場合があるので、前記アプローチショット領域の中で弾道に基づく適切なアプローチショット領域を適宜設定して行うのが好ましい。
例えば、前記適切なショット領域を中間弾道の適切なアプローチショット領域とし、その下側の所定範囲を低弾道の適切なアプローチショト領域、上側の所定範囲を高弾道の適切なアプローチショット領域とする。
パター練習用の帯状マットは、ショットの打席部の後方位置から標的ネット下まで略５ｍに亘っているが、カップから１ｍ、２ｍ、３ｍ、４ｍの位置において、それぞれ中央とその両側の三個所にパッティング位置を表示する。すなわち、パッティングの距離、パッティング位置を替えることにより、パッティングの練習を有効に行うことができる。
【実施例】
【００１１】
本発明の実施例を図面に基づいて説明する。図１は本発明のゴルフ練習装置の斜視図、図２は打席部、パター練習用マットを含む平面部の上面図、図３は標的ネットの正面図、図４は電光表示板の要部の拡大正面図である。
平坦面にショット用マット１を備えた打席部２を設け、この打席部２の前方約４ｍの位置に、標的ネット３を直立して設ける。打席部２の前側には、打席足元に当たる部分に、ショットしたボールが標的ネットに当たると点灯するランプ４を設置する。
標的ネット３は中央帯５、側面帯６、外側面帯７の三区分に分け、区分線８を施して区分する。そして、中央帯５には、適切なショットの上下範囲に相当する部分に横線を施して適切なショット領域９とし、中央帯全体をアプローチショット領域１０とする。
打席部２の後方位置から標的ネット３の下まで、略５ｍに亘ってパター練習用の帯状マット１１を設ける。そして、打席部２側に当たる帯状マット１１の端部中央部にカップ１２を設け、該カップ１２から１ｍ毎の四個所１３、１４、１５、１６において、それぞれ中央ａとその両側ｂ、ｃの三個所にパッティング位置を表示する。さらに、いずれかのパッティング位置から約５０ｃｍの位置にセンサー１７を設ける。図面においては、パッティング位置１６より約５０ｃｍの位置にセンサー１７を設けている。前記センサー１７を設けたパッティング位置１６には、パットしたボールがセンサー１７に達すると点灯するランプ１８を設置する。
【００１２】
打席部２の前方に電光表示板１９を立設し、この電光表示板１９には、適切なショット領域９にボールがあ当たった時に点灯するランプ２０、アプローチショット領域１０にボールが当たった時に点灯するランプ２１、外れた領域、ＯＢ領域にボールが当たった時に点灯するランプ２２、２３と、さらに、適切なショット領域にボールが当たった数およびパッティングしたボールがカップインした数を表示する表示部２４を設けている。
上記電光表示板１９において、Ｓ、Ａ、Ｐはカウントスウィチで、Ｓは適切なショット領域に当たったボールの数をカウントする場合のスウィチ、Ａはアプローチショットの決められた領域に当たったボールの数をカウントする場合のスウィチ、Ｐはパターでカップインしたボールの数をカウントする場合のスウィチである。また、２５は集球部、２６は集球ピットを示す。なお、図示していないが、ゴルフ練習装置の側面および上面に防護ネットを施しておけば、安全で心配なく練習を行うことができる。
【００１３】
以上よりなるゴルフ練習装置の使用方法について説明すると、先ず、ショットの練習においては、ドライバー、ヘアウェイウッド、アイアンのいずれも、ショット用マット１から標的ネット３の適切なショット領域９を目標にしてスウィングする。そして、ボールが標的マット３に当たると打席足元のランプ４が点灯するので、点灯するまで頭を上げないように練習する。
アプローチの練習においても上記と同様であって、アプローチショト領域１０の弾道の高さによって適宜に決めた領域を目標にしてスウィングし、ボールが標的マットに当たって打席足元のランプ４が点灯するまで、頭を上げないように練習する。
パターの練習においては、パッティング位置１６からボールをパットし、ボールがセンサー１７に達するとパッティング位置のランプ１８が点灯するので、点灯するまで頭を上げないように練習する。
【００１４】
上記ヘッドアップを矯正する練習の他に、パッティングにおいては、カップ１２から１ｍ毎の位置１３、１４、１５、１６のそれぞれに、ａ、ｂ、ｃの三個所パッティング位置を表示しており、パッティング位置からの距離、パッティング位置を変えて錯覚をしないよう練習することができる。
ショット、アプローチショットにおいては、前記ヘッドアップの練習の他に、標的ネット３の適切なショット領域９、アプローチショット領域１０、側面帯６（外れた領域）および外側面帯７（ＯＢ領域）のいずれかにボールが当たると、電光表示板１９のランプ２０、２１、２２、２３のいずれかの該当ランプが点灯するので、打球の方向が確認できる。
ショット、アプローチショットは目標を決めて行うのであるが、初級者では目標から外れる場合が多い。この際、打球の方向が確認できると、その打球の方向によってスウィングの見直し、矯正などを行うことができる。
【産業上の利用可能性】
【００１５】
本発明のゴルフ練習装置によれば、特に初級者に必要なヘッドアップの矯正と打球の方向の確認ができ、また、練習成果が確認でき、しかも、広い場所を必要とすることなく容易に設置できるので、利用可能性は極めて高い。
【図面の簡単な説明】
【００１６】
【図１】本発明のゴルフ練習装置の斜視図である。
【図２】打席部、パター練習用マットを含む平面部の上面図である。
【図３】標的ネットの正面図である。
【図４】電光表示板の要部の拡大正面図である。
【符号の説明】
【００１７】
１  ショット用マット
２  打席部
３  標的ネット
４  打席のランプ
５  中央帯
６  側面帯
７  外側面帯
８  区分線
９  適切なショット領域
１０  アプローチショット領域
１１  パター練習用の帯状マット
１２  カップ
１３  カップより１ｍのパッティング位置
１４  カップより２ｍのパッティング位置
１５  カップより３ｍのパッティング位置
１６  カップより４ｍのパッティング位置
ａ  各パッティング位置のうちの中央位置
ｂ  各パッティング位置のうち中央位置の一方側の位置
ｃ  各パッティング位置のうち中央位置の他方側の位置
１７  センサー
１８  パッティング位置のランプ
１９  電光掲示板
２０  適切なショット領域の点灯ランプ
２１  アプローチショット領域の点灯ランプ
２２  外れ領域の点灯ランプ
２３  ＯＢ領域の点灯ランプ
２４  目標領域に当たった数、カップイン下数の表示部
２５  集球部
２６  集球ピット
【図１】
2006175139.tif 000003
【図２】
2006175139.tif 000004
【図３】
2006175139.tif 000005
【図４】
2006175139.tif 000006